(57)【要約】      （修正有）【課題】使用時にはカルキ臭の殆どないアルカリイオン水を供給し、不使用時には低濃度の次亜塩素酸ナトリウムを含むアルカリイオン水を生成し、その導出管路に滞留させて菌の繁殖を防止できる電解イオン水生成装置を提供する。【解決手段】蛇口ＴＰの上流にてアルカリイオン水の注出導管２５から分岐した排水導管路２８の第１弁Ｖ１と、給水導管１１のバイパス管路ＢＰの第２弁Ｖ２とが共に閉じた状態にて蛇口ＴＰが開かれ電解槽２４内に浄水器２３からの浄水の流れが生じたとき電解槽２４に直流電圧を付与し、蛇口が閉じられたとき電解槽への給電を停止する制御手段と、蛇口が閉じられて電解槽への給電が停止され所定の停止時間が経過したとき第１弁Ｖ１と第２弁Ｖ２を共に開いて、浄水器２３からの浄水とバイパス管路を通して供給される水道水の混合水の流れが電解槽内に生じたとき同電解槽に直流電圧を付与し、所定の除菌処理時間が経過したとき第１弁と第２弁を閉じると共に電解槽への給電を停止する制御手段とを備える。【選択図】  図１
2004230233.tif 000002
【特許請求の範囲】
【請求項１】
水道水の給水導管に残留塩素成分を除去する浄水器を介して接続され同浄水器にて浄化されて供給される被処理水をその内部に対向して設けた一対の電極間に直流電圧を付与されることにより電気分解して酸性イオン水とアルカリ性イオン水を生成する電解槽と、該電解槽にて生成された酸性イオン水とアルカリ性イオン水をそれぞれ注出する注出導管とを備え、前記アルカリ性イオン水の注出導管に蛇口を設けて配置される電解イオン水生成装置において、
前記蛇口の上流にて前記アルカリイオン水の注出導管から分岐した排水導管に介装した第１電磁開閉弁と、
前記浄水器の上流にて前記給水導管から分岐して同浄水器の下流にて同給水導管に連通するバイパス管路に介装した第２電磁開閉弁と、
前記第１電磁開閉弁と第２電磁開閉弁が共に閉じた状態にて前記蛇口が開かれて前記電解槽内に前記浄水器から供給される被処理水の流れが生じたとき前記電極間に直流電圧を付与し、前記蛇口が閉じられたとき前記電極間への給電を停止する電解電流制御手段と、
前記蛇口が閉じられて前記電極間への給電が停止されたとき所定の停止時間の計時を開始して同停止時間が経過したとき前記第１電磁開閉弁と第２電磁開閉弁を共に開いて、前記浄水器から供給される被処理水と前記バイパス管路を通して供給される水道水の混合水の流れが前記電解槽内に生じたとき前記電極間に直流電圧を付与し、所定の除菌処理時間が経過したとき前記第１電磁開閉弁と第２電磁開閉弁を閉じると共に前記電極間への給電を停止する除菌処理制御手段とを備えた電気的制御装置を設けたことを特徴とする電解イオン水生成装置。
【請求項２】
、前記除菌処理制御手段に、前記所定の停止時間の計時に先立って所定の一時停止時間の計時を開始して同一時停止時間が経過したとき前記第１電磁開閉弁と第２電磁開閉弁を共に開いて、前記浄水器から供給される被処理水と前記バイパス管路を通して供給される水道水の混合水の流れが前記電解槽内に生じたとき前記電極間に直流電圧を付与し、所定の予備除菌時間が経過したとき前記第１電磁開閉弁と第２電磁開閉弁を閉じると共に前記電極間への給電を停止する予備除菌処理手段を設けたことを特徴とする請求項１に記載の電解イオン水生成装置。
【請求項３】
水道水の給水導管に残留塩素成分を除去する浄水器を介して接続され同浄水器にて浄化されて供給される被処理水をその内部に対向して設けた一対の電極間に直流電圧を付与されることにより電気分解して酸性イオン水とアルカリ性イオン水を生成する電解槽と、該電解槽にて生成された酸性イオン水とアルカリ性イオン水をそれぞれ注出する注出導管を設けて配置される電解イオン水生成装置において、
前記注出導管から注出される前記アルカリ性イオン水を使用するとき操作される注水スイッチと、
前記アルカリ性イオン水の注出導管に介装した第１電磁開閉弁と、
該第１電磁開閉弁の上流にて前記アルカリ性イオン水の注出導管から分岐した排水導管に介装した第２電磁開閉弁と、
前記浄水器の上流にて前記給水導管から分岐して同浄水器の下流にて同給水導管に連通するバイパス管路に介装した第３電磁開閉弁と、
前記第２電磁開閉弁と第３電磁開閉弁が共に閉じた状態にて前記注水スイッチがオン操作されたとき前記第１電磁開閉弁を開いて前記電解槽内に前記浄水器から供給される被処理水の流れが生じたとき前記電極間に直流電圧を付与し、前記注水スイッチがオフ操作されたとき前記第１電磁開閉弁を閉じると共に前記電極間への給電を停止する電解電流制御手段と、
前記第１電磁開閉弁が閉じられて前記電極間への給電が停止されたとき所定の停止時間の計時を開始して同停止時間が経過したとき前記第２電磁開閉弁と第３電磁開閉弁を共に開いて、前記浄水器から供給される被処理水と前記バイパス管路を通して供給される水道水の混合水の流れが前記電解槽内に生じたとき前記電極間に直流電圧を付与し、所定の除菌処理時間が経過したとき前記第２電磁開閉弁と第３電磁開閉弁を閉じると共に前記電極間への給電を停止する除菌処理制御手段とを備えた電気的制御装置を設けたことを特徴とする電解イオン水生成装置。
【請求項４】
前記除菌処理制御手段に、前記所定の停止時間の計時に先立って所定の一時停止時間の計時を開始して同一時停止時間が経過したとき前記第２電磁開閉弁と第３電磁開閉弁を共に開いて、前記浄水器から供給される被処理水と前記バイパス管路を通して供給される水道水の混合水の流れが前記電解槽内に生じたとき前記電極間に直流電圧を付与し、所定の予備除菌時間が経過したとき前記第２電磁開閉弁と第３電磁開閉弁を閉じると共に前記電極間への給電を停止する予備除菌処理手段を設けたことを特徴とする請求項３に記載の電解イオン水生成装置。
【請求項５】
水道水の給水導管に残留塩素成分を除去する浄水器を介して接続され同浄水器にて浄化されて供給される被処理水をその内部に対向して設けた一対の電極間に直流電圧を付与されることにより電気分解して酸性イオン水とアルカリ性イオン水を生成する電解槽と、該電解槽にて生成された酸性イオン水とアルカリ性イオン水をそれぞれ注出する注出導管を設けて配置される電解イオン水生成装置において、
前記注出導管から注出される前記アルカリ性イオン水を使用するとき操作される注水スイッチと、
前記アルカリ性イオン水の注出導管に介装した第１電磁開閉弁と、
前記浄水器の上流にて前記給水導管から分岐して同浄水器の下流にて同給水導管に連通するバイパス管路に介装した第２電磁開閉弁と、
該第２電磁開閉弁が閉じた状態にて前記注水スイッチがオン操作されたとき前記第１電磁開閉弁を開くと共に所定の注水時間の計時を開始して、前記電解槽内に前記浄水器から供給される被処理水の流れが生じたとき前記電極間に直流電圧を付与し、前記所定の注水時間が経過したとき前記第１電磁開閉弁を閉じると共に前記電極間への給電を停止する電解電流制御手段と、
前記電極への給電が停止されたとき所定の停止時間の計時を開始して同停止時間が経過したとき前記第１電磁開閉弁と第２電磁開閉弁を共に開いて、前記浄水器から供給される被処理水と前記バイパス管路を通して供給される水道水の混合水の流れが前記電解槽内に生じたとき前記電極間に直流電圧を付与し、所定の除菌処理時間が経過したとき前記第１電磁開閉弁と第２電磁開閉弁を閉じると共に前記電極間への給電を停止する除菌処理制御手段とを備えた電気的制御装置を設けたことを特徴とする電解イオン水生成装置。
【請求項６】
水道水の給水導管に残留塩素成分を除去する浄水器を介して接続され同浄水器にて浄化されて供給される被処理水をその内部に対向して設けた一対の電極間に直流電圧を付与されることにより電気分解して酸性イオン水とアルカリ性イオン水を生成する電解槽と、該電解槽にて生成された酸性イオン水とアルカリ性イオン水をそれぞれ注出する注出導管を設けて配置される電解イオン水生成装置において、
前記注出導管から注出される前記アルカリ性イオン水を使用するとき操作される注水スイッチと、
前記アルカリ性イオン水の注出導管に介装した第１電磁開閉弁と、
前記浄水器の上流にて前記給水導管から分岐して同浄水器の下流にて同給水導管に連通するバイパス管路に介装した第２電磁開閉弁と、
前記第２電磁開閉弁が閉じた状態にて前記注水スイッチがオン操作されたとき前記第１電磁開閉弁を開いて前記電解槽内に前記浄水器から供給される被処理水の流れが生じたとき前記電極間に直流電圧を付与し、前記注水スイッチがオフ操作されたとき前記第１電磁開閉弁を閉じると共に前記電極間への給電を停止する電解電流制御手段と、
前記電極への給電が停止されたとき所定の停止時間の計時を開始して同停止時間が経過したとき前記第１電磁開閉弁と第２電磁開閉弁を共に開いて、前記浄水器から供給される被処理水と前記バイパス管路を通して供給される水道水の混合水の流れが前記電解槽内に生じたとき前記電極間に直流電圧を付与し、所定の除菌処理時間が経過したとき前記第１電磁開閉弁と第２電磁開閉弁を閉じると共に前記電極間への給電を停止する除菌処理制御手段とを備えた電気的制御装置を設けたことを特徴とする電解イオン水生成装置。
【発明の詳細な説明】
【０００１】
【発明の属する技術分野】
本発明は水道水の給水導管から残留塩素成分を除去する浄水器を介して供給される被処理水を電気分解して酸性イオン水とアルカリ性イオン水を生成する電解槽を備えた電解イオン水生成装置に関するものである。
【０００２】
【従来の技術】
従来、この種の電解イオン水生成装置として下記の公知文献に記載の先行技術がある。
【０００３】
【特許文献１】
特開平７−１６５７０号公報  （第２頁第１欄、図１）
【０００４】
【実用新案文献１】
実開平５−４９０９２号公報  （第１頁２記載の要約、図１、２）
特許文献１においては、水道水を通水路によって浄水カートリッジを介して電解槽に順次連続的に供給し、電解槽内に設けた電極間に直流電圧を印加して水道水をアルカリ水と酸性水に電気分解しながら取り出すイオン水生成器において、上記浄水カートリッジをバイパスするバイパス通路を設けると共に上記通水路を浄水カートリッジとバイパス通路のどちらか一方に切換える切換手段と、この切換手段をバイパス通路に切換えたとき上記電極への通電を停止する制御手段を設けたイオン水生成器が開示されている。
【０００５】
また、実用新案文献１においては、原水供給部と送水路の始端及び環水路の終端との間に切換装置を介装すると共に、送水路と環水路との中途にワンウエイのバイパス路を設けて、切換装置の作動に応じて原水供給部からの原水を送水路と環水路にそれぞれ互い違いに供給するように構成して、送水路や環水路に浄水が滞留していても原水の逆流で押し流され、原水に含まれる塩素成分の殺菌作用によって送水路及び環水路中での微生物の繁殖を防止することができる浄水流路の洗浄切換装置が開示されている。
【０００６】
【発明が解決しようとする課題】
上記のイオン水生成器等においては、その不使用時にアルカリ性イオン水の導出管路に水道水を滞留させて同水道水に含まれた残留塩素によって菌の繁殖を防止するようになっている。また、電解槽から流出するアルカリ性イオン水と酸性イオン水の導出管路を切換えてアルカリ性イオン水の導出管路に酸性イオン水を供給して菌の繁殖を防止する装置が提案されている。
【０００７】
しかしながら、水道水は略中性（水道法では、ｐＨ５．８‐ｐＨ８．６の範囲に規定されている。）であり、同水道水に含まれる残留塩素の殆どは次亜塩素酸（ＨＯＣｌ）の形態であって、殺菌の速効性には優れているものの持続性には劣っていて、時間の経過によって濃度が低下する。また、酸性水に含まれている残留塩素はｐＨが低いため、次亜塩素酸と塩素（Ｃｌ２）の形態であって、殺菌力に優れているものの持続性には劣っている。しかも、塩素ガスがアルカリ性イオン水の導出管路の管部材にしみ込むため、次回にアルカリ性イオン水を生成するとき、塩素の臭いが混入して異臭のするアルカリ性イオン水になってしまうという問題がある。
【０００８】
【本発明の目的】
本発明の目的は、上述した問題に対処するため、使用時には残留塩素を除去した浄水を電解処理してカルキ臭の殆どないアルカリ性イオン水を供給し、不使用時には浄水器により浄化された浄水と残留塩素を含んだ水道水の混合水を電解処理して低濃度の次亜塩素酸ナトリウム（ＮａＯＣｌ）を含むアルカリ性イオン水を生成し、同アルカリ性イオン水をその導出管路に滞留させて菌の繁殖を的確に防止できる電解イオン水生成装置を提供することにある。
【０００９】
【課題を解決するための手段】
上記の目的を達成するため、本発明は、水道水の給水導管に残留塩素成分を除去する浄水器を介して接続され同浄水器にて浄化されて供給される被処理水をその内部に対向して設けた一対の電極間に直流電圧を付与されることにより電気分解して酸性イオン水とアルカリ性イオン水を生成する電解槽と、該電解槽にて生成された酸性イオン水とアルカリ性イオン水をそれぞれ注出する注出導管とを備えて、前記アルカリ性イオン水の注出導管に蛇口を設けて配置される電解イオン水生成装置において、前記蛇口の上流にて前記アルカリ性イオン水の注出導管から分岐した排水導管に介装した第１電磁開閉弁と、前記浄水器の上流にて前記給水導管から分岐して同浄水器の下流にて同給水導管に連通するバイパス管路に介装した第２電磁開閉弁と、前記第１電磁開閉弁と第２電磁開閉弁が共に閉じた状態にて前記蛇口が開かれて前記電解槽内に前記浄水器から供給される被処理水の流れが生じたとき前記電極間に直流電圧を付与し、前記蛇口が閉じられたとき前記電極間への給電を停止する電解電流制御手段と、前記蛇口が閉じられて前記電極間への給電が停止されたとき所定の停止時間の計時を開始して同停止時間が経過したとき前記第１電磁開閉弁と第２電磁開閉弁を共に開いて、前記浄水器から供給される被処理水と前記バイパス管路を通して供給される水道水の混合水の流れが前記電解槽内に生じたとき前記電極間に直流電圧を付与し、所定の除菌処理時間が経過したとき前記第１電磁開閉弁と第２電磁開閉弁を閉じると共に前記電極間への給電を停止する除菌処理制御手段とを備えた電気的制御装置を設けたことを特徴とする電解イオン水生成装置を提供するものである。
【００１０】
上記のように構成した電解イオン水生成装置において、前記第１電磁開閉弁と第２電磁開閉弁が共に閉じられた状態にて蛇口を開いてアルカリ性イオン水を使用するときには残留塩素成分を除去したカルキ臭のないアルカリ性イオン水が無菌状態で生成される。また、蛇口を閉じた状態で当該装置が使用後に放置された場合には、所定の停止時間（例えば、２時間）の経過後に前記電気的制御装置の制御下にて前記第１電磁開閉弁と第２電磁開閉弁が自動的に開らかれて、浄水器から供給される浄水に残留塩素を含んだ水道水を混入した被処理水が所定の除菌処理時間の間に電解槽にて電解処理されて低濃度の次亜塩素酸ナトリウムを含んだアルカリ性イオン水が生成される。このため、電解槽の内部とアルカリ性イオン水の注出導管内に低濃度の次亜塩素酸ナトリウムを含有したアルカリ性イオン水が滞留する。これにより、持続性に富む殺菌力を有する次亜塩素酸ナトリウムによって有害な菌の繁殖が的確に防止される。
【００１１】
上記の電解イオン水生成装置においては、アルカリ性イオン水の注出導管に使用者によって開閉操作される蛇口を設けたが、この蛇口を電磁開閉弁に代えて実施してもよい。この場合には、上記の電気的制御装置にアルカリ性イオン水を使用するとき操作される注水スイッチを設けて、前記蛇口に代えた電磁開閉弁を第１電磁開閉弁として採用し、上記電解イオン水生成装置における前記第１電磁開閉弁と第２電磁開閉弁をそれぞれ第２電磁開閉弁と第３電磁開閉弁として採用すれば上記電解イオン水生成装置の機能と実質的に同じ機能が得られる。
【００１２】
また、本発明の実施にあたっては、水道水の給水導管に残留塩素成分を除去する浄水器を介して接続され同浄水器にて浄化されて供給される被処理水をその内部に対向して設けた一対の電極間に直流電圧を付与されることにより電気分解して酸性イオン水とアルカリ性イオン水を生成する電解槽と、該電解槽にて生成された酸性イオン水とアルカリ性イオン水をそれぞれ注出する注出導管を設けて配置される電解イオン水生成装置において、前記注出導管から注出される前記アルカリ性イオン水を使用するとき操作される注水スイッチと、前記アルカリ性イオン水の注出導管に介装した第１電磁開閉弁と、前記浄水器の上流にて前記給水導管から分岐して同浄水器の下流にて同給水導管に連通するバイパス管路に介装した第２電磁開閉弁と、該第２電磁開閉弁が閉じた状態にて前記注水スイッチがオン操作されたとき前記第１電磁開閉弁を開くと共に所定の注水時間の計時を開始して、前記電解槽内に前記浄水器から供給される被処理水の流れが生じたとき前記電極間に直流電圧を付与し、前記所定の注水時間が経過したとき前記第１電磁開閉弁を閉じると共に前記電極間への給電を停止する電解電流制御手段と、前記電極への給電が停止されたとき所定の停止時間の計時を開始して同停止時間が経過したとき前記第１電磁開閉弁と第２電磁開閉弁を共に開いて、前記浄水器から供給される被処理水と前記バイパス管路を通して供給される残留塩素を含んだ水道水の混合水の流れが前記電解槽内に生じたとき前記電極間に直流電圧を付与し、所定の除菌処理時間が経過したとき前記第１電磁開閉弁と第２電磁開閉弁を閉じると共に前記電極間への給電を停止する除菌処理制御手段とを備えた電気的制御装置を設けたことを特徴とする電解イオン水生成装置を提供してもよい。
【００１３】
この実施形態においては、前記注水スイッチをオン操作されたとき残留塩素成分を除去したカルキ臭のないアルカリ性イオン水が無菌状態で生成され、生成直後に使用するか或いは冷蔵保存する場合に適した飲料水として衛生上安全に供することができる。また、当該装置が使用後に放置された場合には、所定の停止時間（例えば、２時間）の経過後に前記電気的制御装置の制御下にて前記第１電磁開閉弁と第２電磁開閉弁が自動的に開らかれて、浄水器から供給される浄水に残留塩素を含んだ水道水を混入した被処理水が所定の除菌処理時間の間に電解槽にて電解処理されて低濃度の次亜塩素酸ナトリウムを含んだアルカリ性イオン水が生成されるため、電解槽の内部とアルカリ性イオン水の注出導管内に低濃度の次亜塩素酸ナトリウムを含有したアルカリ性イオン水が滞留する。これにより、持続性に富む殺菌力を有する次亜塩素酸ナトリウムによって有害な菌の繁殖が的確に防止される。
【００１４】
なお、この実施形態においては、前記注水スイッチをオン操作したとき所定の注水時間の計時を開始して同注水時間が経過したとき前記電解槽内の電極への給電を停止するようにしたが、注水時間を計時することなく前記注水スイッチがオフ操作されたとき前記電解槽内の電極への給電を停止するように実施してもよい。
【００１５】
【発明の実施の形態】
以下に本発明の最適な実施形態を図面を参照して説明する。図１に示した電解水生成装置は、水道水の給水導管１１に給水元栓１２と減圧弁１３を介して接続した軟水器２１と、この軟水器２１に内蔵したイオン交換樹脂によりイオン交換されたナトリウムイオンＮａ＋を含む水道水をフィルタ２２を介して供給される浄水器２３と、この浄水器２３にて残留塩素成分を除去された浄水を被処理水として供給されその内部に設けた一対の電極に直流電圧を付与されて酸性イオン水とアルカリ性イオン水を生成する電解槽２４と、この電解槽２４にて生成されたアルカリ性イオン水を蛇口ＴＰを介して注出タンクＴに導出する注出導管２５と、電解槽２４にて生成された酸性イオン水を排水用バルブＶａ及び排水量調節バルブＶｂを介して排水タンク２７に導出する排水導管２６を備えている。なお、浄水器２３と電解槽２４の間には減圧弁Ｖｄ、水経路圧力逃し弁Ｖｅ及びアルカリ性イオン水の注出量調節バルブＶｆが介装されている。
【００１６】
上記のように構成した電解水生成装置において、蛇口ＴＰの上流にてアルカリ性イオン水の注出導管２５から分岐した排水導管２８には蛇口ＴＰが閉じられて当該装置が不使用状態に放置されたとき後述するマイクロコンピュータＭＣの制御下にて開かれる第１電磁開閉弁Ｖ１を介装し、浄水器２３の上流にて給水導管１１から分岐して同浄水器２３の下流にて同給水導管１１に連通するバイパス管路ＢＰには水道水供給用の第２電磁開閉弁Ｖ２を介装して、この第２電磁開閉弁Ｖ２が後述するマイクロコンピュータＭＣの制御下にて開かれたとき残留塩素成分を含んだ水道水が浄水器２３の下流にて同浄水器２３により浄化された浄水に所定の比率にて混合するようにしてある。なお、電解槽２４内の電極に付与する電解電流を制御するための電気的制御盤３０には電源スイッチＳＷが設けられている。
【００１７】
図２は、電気的制御盤３０内に設けたマイクロコンピュ−タＭＣを示していて、このマイクロコンピュータＭＣの入力側には電解槽２４の給水管路に設けたフローセンサＦＳが接続され、同マイクロコンピュータＭＣの出力側には電解電流制御回路３１、第１電磁開閉弁Ｖ１及び第２電磁開閉弁Ｖ２が接続されている。しかして、マイクロコンピュータＭＣは後述する電解電流の給電・停止時間と除菌処理時間を計測するタイマーＭＴを備え、図３に示した注水・除菌ルーチンの制御プログラムを実行するように構成されている。
【００１８】
上記の電解水生成装置において、給水元栓１２を開いた状態にて制御盤３０に設けた電源スイッチＳＷを閉じて蛇口ＴＰが開かれると、給水導管１１から供給される水道水が浄水器２３により残留塩素を除去して浄化された被処理水として電解槽２４に供給される。これにより、電解槽２４内への被処理水の流れがフローセンサＦＳにて検出されると、コンピュータＭＣが図３に示した注水・除菌ルーチンのステップＳ１０にて初期化処理をした後ステップＳ１１にて「Ｙｅｓ」と判定し、ステップＳ１２にてフラグＦ１とＦ３を“０”に設定して、ステップＳ１３にて電解槽２４内の一対の電極に直流電圧を付与する制御信号を電解電流制御回路３１に付与する。かくして、電解槽２４内にて酸性イオン水とアルカリ性イオン水が生成され、アルカリ性イオン水は残留塩素を含まない状態で注出導管２５を通して導出され注出タンクＴ内に貯えられる。一方、酸性イオン水は排水導管２６を通して導出され排水タンク２７内に排出される。この使用時に注出タンクＴ内に所定量のアルカリ性イオン水が貯えられてから使用者が蛇口ＴＰを閉じると、電解槽２４内への被処理水の流れが止まるため、フローセンサＦＳの検出信号に応答してコンピュータＭＣがステップＳ１１にて「Ｎｏ」と判定し、ステップＳ１４にて電解槽２４内の電極への給電を停止する制御信号を電解電流制御回路３１に付与する。
【００１９】
上記の使用時に注出タンクＴ内に貯えられたアルカリ性イオン水は、生成直後に使用するか或いは冷蔵保存する場合に適していて、カルキ臭のない状態で飲料水として衛生上安全に供することができる。
【００２０】
上述した本装置の使用後に電解槽２４内の電極への給電が一時停止したままの状態に放置されると、コンピュータＭＣがステップＳ１５とＳ１６にて「Ｙｅｓ」と判定してステップＳ１７にて所定の一時停止時間Ｔ１（例えば、１分間−数分間）の計時を開始しすると共にフラグＦ１を“１”に設定する。しかして、この一時停止時間Ｔ１の経過中には、コンピュータＭＣがステップＳ１６とＳ１８にて「Ｎｏ」と判定し、同一時停止時間Ｔ１の計時が終了するとステップＳ１８にて「Ｙｅｓ」と判定して、ステップＳ２２にて第１電磁開閉弁Ｖ１と第２電磁開閉弁Ｖ２を励磁して開くと共に所定の予備除菌処理時間の計時を開始する。これにより、浄水器２３から供給される浄水にバイパス管路ＢＰを通して供給される残留塩素を含んだ水道水が混入して電解槽２４内に供給され、この混合水の流れがフローセンサＦＳにて検出されるとコンピュータＭＣがステップＳ２３にて「Ｙｅｓ」と判定しステップＳ２４にて電解槽２４内の電極に直流電圧を印加する制御信号を電解電流制御回路３１に付与する。かくして、電解槽２４内にて生成されるアルカリ性イオン水は低濃度の次亜塩素酸ナトリウムＮａＯＣｌを含有した状態で注出導管２５と排水導管２８を通して排水タンク２７内に排出される。一方、電解槽２４内にて生成される酸性イオン水は注出導管２６を通して排水タンク２７内に排出される。この作動時に所定の予備除菌処理時間が経過すると、コンピュータＭＣがステップＳ２６にて「Ｙｅｓ」と判定しステップＳ２７にて第１電磁開閉弁Ｖ１と第２電磁開閉弁Ｖ２を消磁して閉じた後、ステップＳ２８にて電解槽２４内の電極への給電を停止する制御信号を電解電流制御回路３１に付与し、ステップＳ２９にてフラグＦ２を“０”に設定すると共にフラグＦ３を“１”に設定する。
【００２１】
なお、上記のステップＳ２２にて予備除菌処理時間の計時を開始したとき断水など水道水が供給されない場合には、フローセンサＦＳにて混合水の流れが検出されないため、コンピュータＭＣはステップＳ２３にて「Ｎｏ」と判定しステップ２５にて電解槽２４内の電極への給電を停止する制御信号を電解電流制御回路３１に付与する。これにより断水などによって電解槽２４の加熱による損傷を回避することができる。
【００２２】
上記の予備除菌処理の終了後に本装置が使用されないで電解槽２４内の電極への給電が停止したままの状態に放置されると、コンピュータＭＣはステッップＳ１１、Ｓ１５にて「Ｎｏ」と判定して、ステップＳ１９にて「Ｙｅｓ」と判定する。したがって、この停止状態にては、コンピュータＭＣがステップ２０にて所定の継続停止時間Ｔ２（例えば，２時間）の計時を開始すると共にフラグＦ２を“１”に設定する。この継続停止時間Ｔ２の経過中は、コンピュータＭＣがステップＳ２１にて「Ｎｏ」と判定し、ステップ１９にて「Ｎｏ」と判定する処理を実行して停止時間の経過を計時する。この継続停止時間Ｔ２の計時を終了すると、ステップＳ２１にて「Ｙｅｓ」と判定して、ステップＳ２２にて第１電磁開閉弁Ｖ１と第２電磁開閉弁Ｖ２を励磁して開くと共に所定の除菌処理時間の計時を開始する。これにより、浄水器２３から供給される浄水にバイパス管路ＢＰを通して供給される残留塩素を含んだ水道水が混入して電解槽２４内に供給され、この混合水の流れがフローセンサＦＳにて検出されるとコンピュータＭＣがステップＳ２３にて「Ｙｅｓ」と判定しステップＳ２４にて電解槽２４内の電極に直流電圧を印加する制御信号を電解電流制御回路３１に付与する。かくして、電解槽２４内にて生成されるアルカリ性イオン水は低濃度の次亜塩素酸ナトリウムＮａＯＣｌを含有した状態で注出導管２５と排水導管２８を通して排水タンク２７内に排出される。一方、電解槽２４内にて生成される酸性イオン水は注出導管２６を通して排水タンク２７内に排出される。この作動時に所定の除菌処理時間が経過すると、コンピュータＭＣがステップＳ２６にて「Ｙｅｓ」と判定しステップＳ２７にて第１電磁開閉弁Ｖ１と第２電磁開閉弁Ｖ２を消磁して閉じた後、ステップＳ２８にて電解槽２４内の電極への給電を停止する制御信号を電解電流制御回路３１に付与し、ステップＳ２９にてフラグＦ２を“０”に設定すると共にフラグＦ３を“１”に設定する。
【００２３】
上記事項から理解されるとおり、本装置が一時的に短時間停止した場合には注出導管２５内に滞留するアルカリ性イオン水に含まれる低濃度の次亜塩素酸ナトリウムによって有害な菌の繁殖を抑制することができると共に低濃度の次亜塩素酸ナトリウムがアルカリ性イオン水の注出導管に短時間の間残存するに過ぎないため同注出導管の管部材にしみ込むことはなく、次回にアルカリ性イオン水を生成するときカルキ臭の殆どないアルカリ性イオン水を供することができる。  また、本装置が長時間にわり使用されないで放置された場合には、電解槽２４の内部と注出導管２５内に次亜塩素酸ナトリウムを含有するアルカリ性イオン水が滞留するため、次亜塩素酸ナトリウムの持続性に富む殺菌力によって有害な菌の繁殖を防止することができる。
【００２４】
上記の電解イオン水生成装置においては、アルカリ性イオン水の注出導管２５に使用者によって開閉操作される蛇口ＴＰを設けたが、この蛇口ＴＰを電磁開閉弁に代えて実施してもよい。この場合には、アルカリ性イオン水を使用するとき操作される注水スイッチを制御盤３０に設けて、蛇口ＴＰに代えた電磁開閉弁を第１電磁開閉弁として採用し、上記電解イオン水生成装置における第１電磁開閉弁Ｖ１と第２電磁開閉弁Ｖ２をそれぞれ第２電磁開閉弁と第３電磁開閉弁として採用すればよい。なお、この実施形態においては、図３に示した注出・除菌ルーチンの処理において，蛇口ＴＰが開閉されるとき前記第１電磁開閉弁が開閉されるようにすればよく、その他の処理は上記と実質的に同じであるのでその説明は省略する。
【００２５】
図４は本発明による電解イオン水生成装置の他の実施形態を示している。この実施形態においては、「図１に示した蛇口ＴＰに代えて第１電磁開閉弁Ｖ１をアルカリ性イオン水の注出導管２５に介装し、蛇口ＴＰの上流にて注出導管２５から分岐して設けた排水導管２８を除去したこと」、「電気的制御盤３０における電源スイッチＳＷに加えて注出スイッチＳＷ１を設けたこと」および「コンピュータＭＣの入力側に電源センサＳＷとフローセンサＦＳに加えて上記の注出スイッチＳＷ１を接続し、同コンピュータＭＣの出力側に電解電流制御回路３１及び電磁開閉弁Ｖ１、Ｖ２を接続したこと」に構成上の特徴があり、その他の構成は図１及び図２に示した装置と実質的に同じである。しかして、この実施形態において、コンピュータＭＣは図６に示した注出・除菌ルーチンの制御プログラムを実行するように構成してある。
【００２６】
図４に示した電解イオン水生成装置において、給水元栓１２を開いた状態にて制御盤３０に設けた電源スイッチＳＷと注出スイッチＳＷ１がオン操作によって閉じられると、コンピュータＭＣが図６に示した注水・除菌ルーチンのステップＳ３０にて「Ｙｅｓ」と判定し、ステップＳ３１にて第１電磁開閉弁Ｖ１を励磁して開くと共に所定の注水時間の計時を開始する。これにより、給水導管１１から供給される水道水が浄水器２３により残留塩素成分を除去された被処理水として電解槽２４に供給され、電解槽２４内への被処理水の流れがフローセンサＦＳにて検出されると、コンピュータＭＣがステップＳ３２にて「Ｙｅｓ」と判定し、ステップＳ３３にて電解槽２４内の一対の電極に直流電流を印加する制御電流を電解電流制御回路３１に付与する。かくして、電解槽２４内にて被処理水の電解処理により酸性イオン水とアルカリ性イオン水が生成され、アルカリ性イオン水は残留塩素の無い状態で注出導管２５を通して注出タンクＴ内に貯えられる。一方、酸性イオン水は注出導管２６を通して排水タンク２７内に排出される。この作動時に所定の注水時間が経過すると、コンピュータＭＣがステップＳ３５にて「Ｙｅｓ」と判定し、ステップＳ３６にて第１電磁開閉弁Ｖ１を消磁して閉じ、ステップＳ３７にて電解槽２４内の電極への給電を停止する信号を電解電流制御回路３１に付与する。
【００２７】
上記の使用時に注出タンクＴ内に貯えられたアルカリ性イオン水は、生成直後に使用するか或いは冷蔵保存する場合に適していて、カルキ臭のない状態で飲料水として衛生上安全に供することができる。
【００２８】
上述した本装置の使用後に電解槽２４内の電極への給電が停止したままの状態に放置されると、コンピュータＭＣがステップＳ４０にて所定の停止時間（例えば、２時間）の計時を開始し、この計時を終了するとステップＳ４１にて「Ｙｅｓ」と判定し、ステップＳ４２にて第１電磁開閉弁Ｖ１と第２電磁開閉弁Ｖ２を励磁して開くと共に所定の除菌処理時間の計時を開始する。これにより、浄水器２３から供給される被処理水にバイパス管路ＢＰを通して供給される残留塩素を含んだ水道水が混入して電解槽２４内に供給され、この混合水の流れがフローセンサＦＳにて検出されると、コンピュータＭＣがステップＳ４３にて「Ｙｅｓ」と判定しステップＳ４４にて電解槽２４内の電極に直流電圧を印加する制御信号を電解電流制御回路３１に付与する。かくして、電解槽２４内にて上記混合水の電解処理により生成されるアルカリ性イオン水は低濃度の次亜塩素酸ナトリウムＮａＯＣｌを含有した状態で注出導管２５を通して注出タンクＴ内に排出される。一方、電解槽２４内にて生成される酸性イオン水は注出導管２６を通して排水タンク２７内に排出される。この作動時に所定の除菌処理時間が経過すると、コンピュータＭＣがステップＳ４６にて「Ｙｅｓ」と判定し、ステップＳ４７にて第１電磁開閉弁Ｖ１と第２電磁開閉弁Ｖ２を消磁して閉じた後、ステップＳ４８にて電解槽２４内の電極への給電を停止する信号を電解電流制御回路３１に付与する。
【００２９】
上記の作動後に停止した状態の本装置においては、電解槽２４の内部と注出導管２５内に低濃度の次亜塩素酸ナトリウムを含有したアルカリ性イオン水が滞留するため、本装置が長時間にわたり不使用状態に放置されても次亜塩素酸ナトリウムの持続性に富む殺菌力によって有害な菌の繁殖を防止することができる。
【００３０】
なお、本発明の実施にあたっては、バイパス管路ＢＰにおける水道水供給用電磁開閉弁Ｖ２の下流に流量制御弁を設けて、バイパス管路ＢＰから浄水器２３の下流に供給される水道水の量を給水道管１１から供給される水道水の水質又は気温の変化に応じて調節することが望ましく、これにより電解槽２４にて生成されたアルカリ性イオン水に含まれる次亜塩素酸ナトリウムの濃度を最適に調整することができる。
【図面の簡単な説明】
【図１】本発明による電解水生成装置の実施形態を概略的に示す構成図である。
【図２】図１に示した電気的制御盤の内部に設けたマイクロコンピュータの制御回路を示すブロック図である。
【図３】図２に示したマイクロコンピュータによって実行される電解水生成装置の制御プログラムである。
【図４】本発明による電解水生成装置の他の実施形態を概略的に示す構成図である。
【図５】図４に示した電気的制御盤の内部に設けたマイクロコンピュータの制御回路を示すブロック図である。
【図６】図４に示したマイクロコンピュータによって実行される電解水生成装置の制御プログラムである。
【符号の説明】
１１．．給水導管、２１．．軟水器、２３．．浄水器、２４．．電解槽、２５．．注出導管、
２６．．排水導管、２８．．排水導管、Ｖ１．．第１電磁開閉弁、Ｖ２．．第２電磁開閉弁、
ＢＰ．．バイパス管路
【図１】
2004230233.tif 000003
【図２】
2004230233.tif 000004
【図３】
2004230233.tif 000005
【図４】
2004230233.tif 000006
【図５】
2004230233.tif 000007
【図６】
2004230233.tif 000008